(57)【特許請求の範囲】
【請求項１】
複数の走査線と、複数のデータ線と、前記走査線とデータ線の交差に対応して設けられたスイッチング素子と、前記スイッチング素子に対応して設けられた画素電極とを有する電気光学装置であって、
前記走査線を選択する走査線駆動回路と、
前記複数のデータ線が設けられた領域の外側に配列する複数のダミーデータ線と、
前記ダミーデータ線と、前記データ線を複数本毎にまとめたブロックとを、順次選択するデータ線駆動回路と、
前記有効水平表示期間では選択されたブロックに属する複数本のデータ線に対して画像信号を供給するとともに、前記複数のダミーデータ線のうち前記複数のデータ線が設けられた領域側のダミーデータ線に対してダミーデータを供給し、水平帰線期間内では前記複数のダミーデータ線のうち他のダミーデータ線に黒色に相当する電圧の画像信号を供給する画像信号供給手段と
を具備することを特徴とする電気光学装置。
【請求項２】
前記ダミーデータ線は、前記複数のデータ線が設けられた領域の両端においてそれぞれ同一本数配列する
ことを特徴とする請求項１記載の電気光学装置。
【請求項３】
前記データ線駆動回路において、
前記ダミーデータ線の選択期間を、前記ブロックの選択期間よりも短くする
ことを特徴とする請求項１記載の電気光学装置。
【請求項４】
請求項１〜３いずれか記載の電気光学装置を表示部に用いた
ことを特徴とする電子機器。
【発明の詳細な説明】
【０００１】
【発明の属する技術分野】
本発明は、アクティブマトリクス型の電気光学装置等に用いられる駆動回路の構成に関する。詳しくは、複数の画像信号線からの画像信号を同時にサンプリングして複数のデータ線に書き込む場合に、画面の左右両端で発生し得るゴーストを防いで高品質の表示が可能な電気光学装置、および、この電気光学装置を表示部に適用した電子機器に関する。
【０００２】
【従来の技術】
従来の電気光学装置について、アクティブマトリクス型の液晶装置を例にとって説明する。図１０は、この液晶装置の要部構成を示すブロック図である。この図に示されるように、液晶装置には、複数の走査線１１２と、複数のデータ線１１４と、各走査線１１２と各データ線１１４に接続された薄膜トランジスタ（Thin Film Transistor：以下、「ＴＦＴ」と称する）１１６と、ＴＦＴに接続された画素電極１１８とからなる画素とが備えられる。ここで、１本の走査線１１２に複数接続されたＴＦＴ１１６を介して、各画素の液晶層に画像信号を書き込む動作を、点順次駆動により実施している。なお、ＴＦＴ１１６は、スイッチング素子の一例であり、これに限られるわけではない。また、各データ線１１４は６本を単位としてブロック化されている。ここで、説明の便宜上、これらをブロックＢ１〜Ｂｎとする。
【０００３】
さて、このようなアクティブマトリクス型の液晶装置では、上述の点順次駆動のために、データ線１１４ごとに設けられたサンプリングスイッチ１３１を点順次駆動の速度で順次スイッチングさせ、画像信号をサンプリングする必要がある。このとき、サンプリングスイッチ１３１のスイッチング特性が入力画像信号の周波数に対して十分に追従できない、という問題が生ずる。一般にドライバ回路を、画素の構成要素たるＴＦＴ１１６と同時に作り込むドライバ内蔵の表示装置では、外付けドライバを用いた表示装置と比べて、サンプリングスイッチとしての薄膜トランジスタの駆動能力が低いので、その問題がより顕著となる。また、多数の画素を有する高精細な表示装置でも、入力画像信号の周波数が高くなることから、上記問題がより顕著となる。
【０００４】
このため、画像信号を例えば６つのシリアル−パラレル信号に変換し、１画素あたりのデータ長を長くして、液晶装置に入力される信号周波数を低くする技術が開示されている。このシリアル−パラレル変換により、例えばサンプリングスイッチとしての薄膜トランジスタの周波数特性が十分でなくても、１画素あたりのデータ長を長くして、解像度を高くできる。そのため、図１０に示されるように、データ線を６本毎にブロック化して、１つのブロックに相当する６つのサンプリングスイッチ１３１を同時に切替可能に構成されている。そして、６つずつサンプリングスイッチ１３１を同時にオンさせることにより、シリアル−パラレル変換された画像信号ＶＩＤ１〜ＶＩＤ６を、１つのブロックに相当する６本のデータ線１１４に同時に出力するようにしている。このような構成を採ることにより、サンプリングスイッチ１３１によるサンプリングの間隔を長くすることができ、薄膜トランジスタをサンプリングスイッチとして使用することも容易となる。
【０００５】
【発明が解決しようとする課題】
しかしながら、各ブロックに属する６本のデータ線毎に画像信号ＶＩＤ１〜ＶＩＤ６をサンプリングして、これらの画像信号ＶＩＤ１〜ＶＩＤ６をその時点において選択された走査線の６個の画素に、ＴＦＴ１１６を介してそれぞれ同時に書き込む構成においては、いわゆるゴーストが発生するという問題があった。このゴーストは２種類に大別され、１つは、画像信号ＶＩＤ１〜ＶＩＤ６の波形鈍化に起因して発生するゴーストであり、他の１つは、あるブロックへの画像信号が隣接するブロックにおいて現れることにより発生するゴーストである。
【０００６】
このうち、前者のゴーストについては、サンプリング信号Ｓ１〜Ｓｎの出力期間が互いに重ならないように排他的に出力する構成によって、ある程度、解消することが可能である。
【０００７】
一方、後者のゴースト（以下、ブロックゴーストという）については、その原因については不明な点もあるが、あるブロック、例えばブロックＢ５に対してサンプリング信号Ｓ５が出力されると、そのサンプリング信号Ｓ５の出力によって、隣接するサンプリング信号Ｓ４、Ｓ６（場合によってはさらにブロックＢ３、Ｂ２、……、および、ブロックＢ７、Ｂ８、……）を供給する信号線の電位に影響を与えること、すなわち、容量的に結合している当該信号線の電位を上昇させることが原因の１つとして考えられている。これにより、ブロックＢ５に属するスイッチ１３１がオンになるほか、隣接するブロックＢ４、Ｂ６に属する各データ線１１４に接続されたスイッチ１３１もオン気味となるので、ブロックＢ５に属する６本のデータ線１１４に本来書き込まれるべき画像信号ＶＩＤ１〜ＶＩＤ６が、隣接するブロックＢ４、Ｂ６に属する各６本のデータ線１１４にも書き込まれるので、ブロックＢ５の画素において表示される画像が隣接するブロックＢ４、Ｂ６の画素においても現れることなる。
【０００８】
したがって、このようなブロックゴーストは、画素間の濃度差が小さいビデオ映像表示の場合には目立たないが、画素間の濃度差が大きいキャラクタ表示の場合には明確に現れることとなる。ただし、液晶装置の用途がビデオ映像の表示であれば、キャラクタ表示は一時的であるので、問題の程度は比較的小さいと言える。
【０００９】
しかし、液晶装置にあっては、ある走査線の選択が終了してから次の走査線が選択されるまでの水平帰線期間において、画像信号ＶＩＤ１〜ＶＩＤ６の電圧が黒色に相当する電圧とされる場合があるので、画面の縁取部分で黒表示が行われる場合も発生し得る。この場合、その縁取部分に隣接するブロックでは、本来の画像信号のほかに黒の画像信号も重畳されて書き込まれる結果、黒帯状のブロックゴーストが、画面の縁取部分で常に発生することになるので、問題の程度は大きい。
【００１０】
本発明は、上述した事情に鑑みてなされたものであり、画面の縁部分で常に発生し得るブロックゴーストを防いで、高い品質の表示が可能な電気光学装置および電子機器を提供することを目的としている。
【００１１】
【課題を解決するための手段】
上記目的を達成するために本発明にあっては、複数の走査線と、複数のデータ線と、前記走査線とデータ線の交差に対応して設けられたスイッチング素子と、前記スイッチング素子に対応して設けられた画素電極とを有する電気光学装置であって、前記走査線を選択する走査線駆動回路と、前記複数のデータ線が設けられた領域の外側に配列する複数のダミーデータ線と、前記ダミーデータ線と、前記データ線を複数本毎にまとめたブロックとを、順次選択するデータ線駆動回路と、前記有効水平表示期間では選択されたブロックに属する複数本のデータ線に対して画像信号を供給するとともに、前記複数のダミーデータ線のうち前記複数のデータ線が設けられた領域側のダミーデータ線に対してダミーデータを供給し、水平帰線期間内では前記複数のダミーデータ線のうち他のダミーデータ線に黒色に相当する電圧の画像信号を供給する画像信号供給手段とを具備することを特徴とする。
【００１２】
この構成によれば、ダミーデータ線とデータ線を複数本毎にまとめたブロックとの選択が完全に行われずに、一部重複して選択される場合であって、かつ、前記複数のダミーデータ線の一部に黒色に相当する電圧が供給された場合であっても、その黒色に相当する電圧の影響をダミーデータ線が設けられた範囲に抑えることができる。このため、画面の縁部分で常に発生し得るゴーストを防いで、高品質の表示が可能となる。
【００１３】
ここで、本発明におけるダミーデータ線は、前記複数のデータ線が設けられた領域の両端においてそれぞれ同一本数配列することが望ましい。これにより、両端に位置するダミーデータ線は、いずれの方向から見ても同一番目となるので、データ線駆動回路における選択が双方向に対応して左右反転像を表示する場合であっても、有効画像表示領域の中心が、左右いずれかの方向にずれることがなくなる。
【００１４】
また、本発明にあっては、前記データ線駆動回路において、前記ダミーデータ線の選択期間を、前記ブロックの選択期間よりも短くすることが望ましい。ダミーデータ線の選択は、画像表示に寄与しない無駄な時間であるため、この選択を素早く済ますためある。
【００１５】
加えて、本発明にあっては、複数の走査線と、複数のデータ線と、前記走査線とデータ線に接続されたスイッチング素子と、前記スイッチング素子に接続された画素電極とを有する電気光学装置であって、前記走査線を順次選択する走査線駆動回路と、前記複数のデータ線が設けられた領域外側に配列する複数のダミーデータ線と、前記走査線が選択された期間において、前記ダミーデータ線と、前記データ線を複数本毎にまとめたブロックとを、順次選択するシフトレジスタ回路と、選択されたブロックに属する複数本のデータ線に対して、画像信号をサンプリングして供給するサンプリング回路とを具備することを特徴としている。
【００１６】
この構成によれば、ダミーデータ線とデータ線を複数本毎にまとめたブロックとの選択が完全に行われずに、一部重複して選択される場合であって、かつ、前記複数のダミーデータ線の一部に黒色に相当する電圧が供給された場合であっても、その黒色に相当する電圧の影響をダミーデータ線が設けられた範囲に抑えることができる。このため、画面の縁部分で常に発生し得るゴーストを防いで、高品質の表示が可能となる。
【００１７】
さらに、本発明にかかる電子機器は、上記電気光学装置を表示部に用いたことを特徴としている。
【００１８】
【発明の実施の形態】
以下、本発明の実施の形態について図面を参照して説明する。なお、実施形態では、電気光学装置の一例として液晶装置を用いて説明する。図１は、本実施形態の液晶装置の全体構成を示す図である。
【００１９】
この図に示されるように、液晶装置は、液晶パネル１００と、タイミング回路２００と、画像信号処理回路３００とから構成される。このうち、タイミング回路２００は、各部で使用されるタイミング信号（必要に応じて後述する）を出力するものである。また、画像信号処理回路３００内部における変換回路３０２は、一系統の画像信号ＶＩＤを入力すると、これをＮ相（図においてはＮ＝６）の画像信号にシリアル−パラレル変換して出力するものである。ここで、画像信号をＮ相にシリアル−パラレル変換する理由は、前述のようにサンプリング回路において、ＴＦＴのソース領域への画像信号の印加時間を長くして、サンプル＆ホールド時間および充放電時間を十分に確保するためである。
【００２０】
一方、増幅・反転回路３０４は、シリアル−パラレル変換された画像信号のうち、反転が必要となるものを反転させ、この後、適宜、増幅して画像信号ＶＩＤ１〜ＶＩＤ６として液晶パネル１００に供給するものである。なお、反転するか否かについては、データ信号の印加方式が▲１▼走査線単位の極性反転であるか、▲２▼データ信号線単位の極性反転であるか、▲３▼画素単位の極性反転であるかに応じて定められ、その反転周期は、１水平走査期間またはドットクロック周期に設定される。ただし、この実施形態にあっては説明の便宜上、▲１▼走査線単位の極性反転である場合を例にとって説明するが、本発明をこれに限定する趣旨ではない。また、相展開された画像信号ＶＩＤ１〜ＶＩＤ６の液晶パネル１００への供給タイミングは、本実施形態では同時とするが、ドットクロックに同期して順次ずらしてもよく、この場合は後述するサンプリング回路にてＮ相の画像信号を順次サンプリングする構成となる。なお、本実施形態における極性反転とは、所定の直流電位（画像信号の振幅中心電位）を基準として正極性と負極性とに交互に電圧レベルを反転させることをいう。
【００２１】
次に、液晶パネル１００について図２を参照して説明する。この液晶パネル１００は、素子基板と対向基板とが間隙をもって対向し、この間隙に液晶が封入された構成となっている。ここで、素子基板とは、石英基板、ハードガラス、シリコン基板等にスイッチング素子が形成された基板からなる。
【００２２】
このうち、素子基板にあっては、図２においてＸ方向に沿って平行に複数本の走査線１１２が配列して形成され、また、これと交差するＹ方向に沿って平行に複数本のデータ線１１４が形成されて、各データ線１１４は６本を単位とするブロックＢ１〜Ｂｎでまとめられている。加えて、各ブロックＢ１〜Ｂｎの左端に位置するブロックＢ１のさらに左側に、３本のダミーデータ線１１５ａ、１１５ｂ、１１５ｃが設けられる一方、各ブロックＢ１〜Ｂｎの右端に位置するブロックＢｎのさらに右側に、３本のダミーデータ線１１５ｄ、１１５ｅ、１１５ｆが設けられている。
【００２３】
また、走査線１１２とデータ線１１４とに接続されたスイッチング素子として、例えば、ＴＦＴ１１６のゲート電極が走査線１１２に接続される一方、ＴＦＴ１１６のソース領域がデータ線１１４に接続されるとともに、ＴＦＴ１１６のドレイン領域が画素電極１１８に接続されている。そして、各画素は、画素電極１１８と、対向基板に形成された共通電極と、これら両電極間に挟持された電気光学物質の一例としての液晶とによって構成される結果、走査線１１２とデータ線１１４との各交点において、マトリクス状に配列することとなる。なお、このほかに蓄積容量（図示省略）が各画素電極１１８に接続された状態で形成されている。
【００２４】
さて、走査線駆動回路１２０は、素子基板上に形成された複数段のシフトレジスタからなり、タイミング回路２００からのクロック信号ＣＬＹや、その反転クロック信号ＣＬＹINV、転送開始パルスＤＹ等に基づいて、パルス的な走査信号を出力して、各走査線１１２を順次選択するものである。詳細には、走査線駆動回路１２０は、垂直走査期間の最初に供給される転送開始パルスＤＹを、クロック信号ＣＬＹおよびその反転クロック信号ＣＬＹINVにしたがって、各段のシフトレジスタにより順次シフトして走査線信号として出力し、これにより各走査線１１２を順次選択するものである。
【００２５】
一方、サンプリング回路１３０は、ダミーデータ線１１５ａ〜１１５ｃ、各ブロックＢ１〜Ｂｎに属する各データ線１１４、ダミーデータ線１１５ｄ〜１１５ｆに対し、サンプリング信号Ｓａ〜Ｓｂ、Ｓ１〜Ｓｎ、Ｓｄ〜Ｓｆにしたがって画像信号ＶＩＤ１〜ＶＩＤ６をぞれぞれサンプリングして供給するものである。詳細には、サンプリング回路１３０は、各データ線１１４およびダミーデータ線１１５ａ〜１１５ｆの一端にそれぞれ設けられたサンプリング用のスイッチ１３１からなる。各スイッチ１３１は、画素を構成するＴＦＴ１１６と同プロセスで作り込まれたＴＦＴからなり、各スイッチ１３１のソース領域は、画像信号ＶＩＤ１〜ＶＩＤ６のいずれかが供給される信号線に接続され、また、各スイッチ１３１のドレイン領域は、各データ線１１４またはダミーデータ線１１５ａ〜１１５ｆのいずれか１本に接続されている。さらに、各ブロックＢ１〜Ｂｎに属するデータ線１１４に接続された各スイッチ１３１のゲート電極は、そのブロックに対応してサンプリング信号Ｓ１〜Ｓｎが供給される信号線のいずれかに接続されている。加えて、左側に位置するダミーデータ線１１５ａ、１１５ｂ、１１５ｃの一端に接続された各スイッチ１３１のゲート電極は、それぞれサンプリング信号Ｓａ、Ｓｂ、Ｓｃが供給される信号線に接続される一方、右側に位置するダミーデータ線１１５ｄ、１１５ｅ、１１５ｆの一端に接続された各スイッチ１３１のゲート電極は、それぞれサンプリング信号Ｓｄ、Ｓｅ、Ｓｆが供給される信号線に接続されている。
【００２６】
また、シフトレジスタ回路１４０は、走査線駆動回路１２０と同様に、素子基板上に形成された複数段のシフトレジスタからなり、タイミング回路２００からのクロック信号ＣＬＸや、その反転クロック信号ＣＬＸINV、転送開始パルスＤＸ等に基づいて、サンプリング信号Ｓａ、Ｓｂ、Ｓｃ、Ｓ１、Ｓ２、……、Ｓｎ、Ｓｄ、Ｓｅ、Ｓｆを順次出力するものである。詳細には、シフトレジスタ回路１４０は、水平走査期間の最初に供給される転送開始パルスＤＸを、クロック信号ＣＬＸおよびその反転クロック信号ＣＬＸINVにしたがって、各段のシフトレジスタにより順次シフトする。これにより、例えば、図３に示されるように、サンプリング信号Ｓａ、Ｓｂ、Ｓｃ、Ｓ１、Ｓ２、……、Ｓｎ、Ｓｄ、Ｓｅ、Ｓｆが順次出力されることとなる。
【００２７】
次に、本実施形態にかかる液晶装置の動作について説明する。ここでは、まず、図３に示されるように、水平帰線期間においてサンプリング信号Ｓａが出力され、水平帰線期間終了直後の水平表示有効期間においてサンプリング信号Ｓｂが出力される場合を想定して説明する。この場合、図に示されるように、水平帰線期間では、画像信号ＶＩＤ１〜ＶＩＤ６は黒色に相当する電圧となる。したがって、この水平走査期間において、サンプリング信号Ｓａが出力されると、ダミーデータ線１１５ａに接続されるスイッチ１３１がオンとなるので、当該ダミーデータ線１１５ａには、黒色に相当する電圧の画像信号ＶＩＤ４が印加される。この際、サンプリング信号Ｓａの出力によって、サンプリング信号Ｓｂが供給される信号線の電圧も容量結合によって上昇し、これにより、ダミーデータ線１１５ｂに接続されるスイッチ１３１がオン気味となって、当該ダミーデータ線１１５ｂの電圧も、現時点において黒色に相当する電圧の画像信号ＶＩＤ５に近づく。しかし、ダミーデータ線１１５ｂの電圧が黒色に相当する電圧に近づいたとしても、当該ダミーデータ線１１５ｂには、画素が接続されてはいないので、実際の表示として現れることはない。また、ダミーデータ線１１５ｃの電圧についても、程度はかなり低いが、同様な理由によって、現時点において黒色に相当する電圧の画像信号ＶＩＤ６に近づくが、当該ダミーデータ線１１５ｃには、画素が接続されてはいないので、実際の表示として現れることはない。このため、水平帰線期間においてサンプリング信号Ｓａが出力されたとしても、表示画面の左端部においてブロックゴーストの発生が抑えられることとなる。
【００２８】
また、水平帰線期間終了直後においてサンプリング信号Ｓｂ、Ｓｃが順番に出力されても、画像信号ＶＩＤ１〜ＶＩＤ６としてダミーデータが供給されるので、また、ダミーデータ線１１５ｂ、１１５ｃには、画素が接続されてはいないので、実際の表示として現れることはない。
【００２９】
次に、サンプリング信号Ｓ１が出力されると同時に、実際に表示すべき画像信号ＶＩＤ１〜ＶＩＤ６が供給される。このため、ブロックＢ１に属する６本のデータ線１１４には、それぞれ画像信号ＶＩＤ１〜ＶＩＤ６がサンプリングされる。そして、サンプリングされた画像信号ＶＩＤ１〜ＶＩＤ６が、現時点の選択走査線における６個の画素にＴＦＴ１１６によってそれぞれ書き込まれることとなる。
【００３０】
この後、サンプリング信号Ｓ２が出力されると同時に、実際に表示すべき画像信号ＶＩＤ１〜ＶＩＤ６が供給される。このため、今度は、ブロックＢ２に属する６本のデータ線１１４には、それぞれ画像信号ＶＩＤ１〜ＶＩＤ６がサンプリングされる。そして、サンプリングされた画像信号ＶＩＤ１〜ＶＩＤ６がその時点の選択走査線における６個の画素に、ＴＦＴ１１６によってそれぞれ書き込まれることとなる。
【００３１】
以下同様にして、サンプリング信号Ｓ３、Ｓ４、……、Ｓｎが順次出力されると、ブロックＢ３、Ｂ４、……、Ｂｎに属する６本のデータ線１１４には、それぞれ画像信号ＶＩＤ１〜ＶＩＤ６がサンプリングされ、これらの画像信号ＶＩＤ１〜ＶＩＤ６がその時点の選択走査線における６個の画素にそれぞれ書き込まれることとなる。
【００３２】
なお、最終的にサンプリング信号Ｓｄ、Ｓｅ、Ｓｆが出力されると、ダミーデータ線１１５ｄ、１１５ｅ、１１５ｆには、それぞれ画像信号ＶＩＤ１、ＶＩＤ２、ＶＩＤ３としてダミーデータが印加されることになるが、これらダミーデータ線１１５ｄ、１１５ｅ、１１５ｆには、画素が接続されてはいないので、実際の表示として現れることはない。そして、この後、次の走査線が選択されて、同様な動作が繰り返し実行されることとなる。
【００３３】
次に、図４に示されるように、水平帰線期間においてサンプリング信号Ｓａ、Ｓｂが出力され、水平帰線期間終了直後の水平表示有効期間においてサンプリング信号Ｓｃが出力される場合には、同様にして、サンプリング信号Ｓｂによってダミーデータ線１１５ｂには黒色に相当する電圧の画像信号ＶＩＤ５が印加される。この際、サンプリング信号Ｓｂの出力によって、サンプリング信号Ｓｃが供給される信号線の電圧も容量結合によって上昇し、これにより、ダミーデータ線１１５ｃに接続されるスイッチ１３１がオン気味となって、当該ダミーデータ線１１５ｃの電圧も、現時点において黒色に相当する電圧の画像信号ＶＩＤ６に近づく。しかし、ダミーデータ線１１５ｃの電圧が黒色に相当する電圧に近づいたとしても、ダミーデータ線１１５ｂ、１１５ｃには、画素が接続されてはいないので、実際の表示として現れることはない。このため、水平帰線期間においてサンプリング信号Ｓａ、Ｓｂが出力されたとしても、表示画面の左端部においてブロックゴーストの発生が抑えられることとなる。
【００３４】
一方、図５に示されるように、水平表示有効期間においてサンプリング信号Ｓｄが出力され、次の走査線を選択するための水平帰線期間においてサンプリング信号Ｓｅ、Ｓｆが出力される場合、サンプリング信号Ｓｅによって、ダミーデータ線１１５ｅに接続されるスイッチ１３１がオンとなるので、当該ダミーデータ線１１５ｅには、黒色に相当する電圧の画像信号ＶＩＤ２が印加される。この際、サンプリング信号Ｓｅの出力によって、サンプリング信号Ｓｄが供給される信号線の電圧も容量結合によって上昇し、これにより、ダミーデータ線１１５ｄに接続されるスイッチ１３１がオン気味となって、当該ダミーデータ線１１５ｄの電圧も、現時点において黒色に相当する電圧の画像信号ＶＩＤ１に近づく。しかし、ダミーデータ線１１５ｄの電圧が黒色に相当する電圧に近づいたとしても、ダミーデータ線１１５ｄ、１１５ｅ、１１５ｆには、画素が接続されてはいないので、実際の表示として現れることはない。このため、次の走査線を選択するための水平帰線期間においてサンプリング信号Ｓｅが出力されたとしても、表示画面の右端部においてブロックゴーストの発生が抑えられることとなる。
【００３５】
同様に、図６に示されるように、水平表示有効期間においてサンプリング信号Ｓｄ、Ｓｅが出力され、次の走査線を選択するための水平帰線期間においてサンプリング信号Ｓｆが出力される場合には、サンプリング信号Ｓｆによってダミーデータ線１１５ｆには黒色に相当する電圧の画像信号ＶＩＤ３が印加される。この際、サンプリング信号Ｓｆの出力によって、サンプリング信号Ｓｅが供給される信号線の電圧も容量結合によって上昇し、これにより、ダミーデータ線１１５ｅに接続されるスイッチ１３１がオン気味となって、当該ダミーデータ線１１５ｅの電圧も、現時点において黒色に相当する電圧の画像信号ＶＩＤ２に近づく。しかし、ダミーデータ線１１５ｅの電圧が黒色に相当する電圧に近づいたとしても、ダミーデータ線１１５ｅ、１１５ｆには、画素が接続されてはいないので、実際の表示として現れることはない。このため、次の走査線を選択するための水平帰線期間においてサンプリング信号Ｓｆが出力されたとしても、表示画面の右端部においてブロックゴーストの発生が抑えられることとなる。
【００３６】
このように本実施形態によれば、サンプリング信号Ｓａ、Ｓｂ、ＳｅまたはＳｆが出力されることによって、それに隣接するサンプリング信号Ｓｂ、Ｓｃ、ＳｄまたはＳｅを供給する信号線の電圧が容量結合によって振られたとしても、その影響は、ダミーデータ線が設けられた範囲に抑えられるので、画面の左右端部で発生するブロックゴーストを抑止することができる。
【００３７】
なお、実施形態にあっては、各データ線１１４およびダミーデータ線１１５ａ〜１１５ｆの他端に、画素を構成するＴＦＴ１１６と同プロセスで作り込んだＴＦＴからなるスイッチをそれぞれ設けるとともに、サンプリング信号Ｓａ、Ｓｂ、Ｓｃ、Ｓ１〜Ｓｎ、Ｓｄ、Ｓｅ、Ｓｆを供給する前に、当該スイッチをオンさせて、各データ線１１４およびダミーデータ線１１５ａ〜１１５ｆをそれぞれ所定の電位にプリチャージする構成としても良い。このような構成において、プリチャージによる極性と、その直後に印加する画像信号の極性とを同一極性とすると、画像信号ＶＩＤ１〜ＶＩＤ６自体によるデータ線１１４の充放電量が小さくなる結果、ＴＦＴ１１６による書き込みに要する時間が短縮化されることとなる。
【００３８】
また、実施形態におけるシフトレジスタ回路１４０は、転送開始パルスＤＸを図において左から右方向へ順次シフトして、サンプリング信号をＳａ、Ｓｂ、Ｓｃ、Ｓ１〜Ｓｎ、Ｓｄ、Ｓｅ、Ｓｆという順番で出力する構成としたが、これとは、逆方向に、転送開始パルスＤＸを図において右から左方向へ順次シフトして、サンプリング信号をＳｆ、Ｓｅ、Ｓｄ、Ｓｎ〜Ｓ１、Ｓｃ、Ｓｂ、Ｓａという順番で出力することが可能な場合であっても、同様に、ブロックゴーストの発生を抑止することができる。このように、シフトレジスタ回路１４０が転送開始パルスを双方向に転送可能な構成とする場合には、各ブロックＢ１〜Ｂｎの左右両端に設けられるダミーデータ線の本数を左右おいて同数とする構成が望ましい。これにより、各ブロックの両端に位置するダミーデータ線は、いずれの方向から見ても同一番目となるので、シフトレジスタ回路１４０が転送開始パルスＤＸを左から右方向に転送することによって正立像が表示される場合も、シフトレジスタ回路１４０が転送開始パルスＤＸを右から左方向に転送することによって左右反転像が表示される場合も、有効画像表示領域の中心が、左右いずれかの方向にずれることもない。
【００３９】
また、上述した実施形態にあっては、各ブロックＢ１〜Ｂｎの両端に設けられるダミーデータ線の本数を左右においてそれぞれ３本としたが、本発明にこれに限れない。例えば、２本であっても良いし、４本以上であっても良い。本数が多いと、その分、ゴーストが抑えられやすくなる反面、表示に寄与しない領域が多く必要となるし、それらのダミーデータ線を駆動する分だけ無駄が発生することになる。
【００４０】
加えて、上述した実施形態におけるシフトレジスタ１４０は、ダミーデータ線１１５ａ〜１１５ｆを選択するためのサンプリング信号Ｓａ〜Ｓｆを、各ブロックＢ１〜Ｂｎに属する６本のデータ線１１４を選択するためのサンプリング信号Ｓ１〜Ｓｎと同様なパルス幅およびピッチで出力する構成としたが、上述のようにダミーデータ線１１５ａ〜１１５ｆを駆動するのは表示に寄与しない無駄であるので、例えば、図７に示されるように、サンプリング信号Ｓａ〜Ｓｆのパルス幅を、サンプリング信号Ｓ１〜Ｓｎのパルス幅よりも短くするとともに、その出力ピッチを短くする構成が望ましい。このような構成は、例えば、クロック信号ＣＬＸおよび反転クロック信号ＣＬＸINVの周期を制御する構成や、また、例えば、複数段縦続接続されたシフトレジスタからなるシフトレジスタ回路１４０の出力を、サンプリング信号Ｓａ〜Ｓｆについては１段毎に、サンプリング信号Ｓ１〜Ｓｎについては複数段毎にそれぞれ取り出すなどの構成により、容易に可能である。
【００４１】
さらに、上述の説明では、各ブロックを順次選択するとともに、選択された１つのブロックに属する６本のデータ線１１４に対し、６相にシリアル−パラレル変換展開された画像信号ＶＩＤ１〜ＶＩＤ６を同時にサンプリングしてデータ線に供給する構成したが、このシリアル−パラレル変換相展開の数および同時にサンプリングして供給するデータ線の数（すなわち、１つのブロックを構成するデータ線の数）は、「６」に限られるものではない。シリアル−パラレル変換相展開の数および同時にサンプリングして供給する印加するデータ線の数としては、カラーの画像信号が３つの原色に係る信号からなることとの関係から、３の倍数であることが制御や回路を簡易化する上で好ましい。このため、１つのブロックを構成するデータ線数を、３本や、１２本、２４本、……、等として、データ線に対して３相シリアル−パラレル変換展開や、１２相シリアル−パラレル変換展開、２４相シリアル−パラレル変換展開等されて並列供給された画像信号を同時に供給するように構成しても良い。
【００４２】
＜電子機器＞
次に、上述した液晶パネル１００を電子機器に用いた例のいくつかについて説明する。
【００４３】
＜その１：プロジェクタ＞
まず、この液晶パネルをライトバルブとして用いたプロジェクタについて説明する。図８は、プロジェクタの構成例を示す平面図である。
【００４４】
この図に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４５】
液晶パネル１１１０Ｒ、１１１０Ｂおよび１１１０Ｇの構成は、上述した液晶パネル１００と同等であり、図示しない画像信号処理回路から供給されるＲ、Ｇ、Ｂの原色信号でそれぞれ駆動される。さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００４６】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。すなわち、液晶パネル１１１０Ｇにおけるダミーデータ線およびブロックの選択方向は、液晶パネル１１１０Ｒ、１１１０Ｂにおけるダミーデータ線およびブロックの選択方向とは逆とする必要がある。
【００４７】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、対向基板にカラーフィルタを設ける必要はない。
【００４８】
＜その２：モバイル型コンピュータ＞
次に、この液晶パネルを、モバイル型のコンピュータに適用した例について説明する。図９は、このコンピュータの構成を示す正面図である。図において、コンピュータ１２００は、キーボード１２０２を備えた本体部１２０４と、液晶ディスプレイ１２０６とから構成されている。この液晶ディスプレイ１２０６は、先に述べた液晶パネル１００の背面にバックライトを付加することにより構成されている。
【００４９】
なお、図８および図９を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、携帯電話、テレビ電話、POS端末、タッチパネルを備えた装置等などが挙げられる。そして、本発明にかかるこれらの各種電子機器に適用可能なのは言うまでもない。
【００５０】
さらに、本発明は、アクティブマトリクス型の液晶装置としてＴＦＴを用いたもの例にとって説明したが、これに限られず、スイッチング素子としてＴＦＤ（Thin Film Diode：薄膜ダイオード）を用いたものや、ＳＴＮ液晶を用いたパッシブ型の液晶装置などにも適用可能であり、またシリコン基板にスイッチング素子を作り込む場合にも適用可能である。さらに、液晶表示装置に限られず、エレクトロルミネッセンス素子など、各種の電気光学効果を用いて表示を行う表示装置にも適用可能である。
【００５１】
【発明の効果】
以上説明したように本発明によれば、ダミーデータ線とデータ線を複数本毎にまとめたブロックとの選択が完全に行われずに、一部重複して選択される場合であって、かつ、複数のダミーデータ線の一部に黒色に相当する電圧が供給された場合であっても、その黒色に相当する電圧の影響は、ダミーデータ線が設けられた範囲に抑えられるので、画面の縁取部分で常に発生し得るゴーストが防止される結果、高品質の表示が可能となる。
【図面の簡単な説明】
【図１】  本発明の第１実施形態にかかる液晶装置の全体構成を示すブロック図である。
【図２】  同液晶装置の液晶パネルの電気的構成を示すブロック図である。
【図３】  同液晶装置の動作を説明するためのタイミングチャートである。
【図４】  同液晶装置の動作を説明するためのタイミングチャートである。
【図５】  同液晶装置の動作を説明するためのタイミングチャートである。
【図６】  同液晶装置の動作を説明するためのタイミングチャートである。
【図７】  本発明の応用にかかる液晶装置の動作を説明するためのタイミングチャートである。
【図８】  同液晶装置を適用した電子機器の一例たる液晶プロジェクタの構成を示す断面図である。
【図９】  同液晶装置を適用した電子機器の一例たるパーソナルコンピュータの構成を示す正面図である。
【図１０】  従来の液晶装置における要部構成を示すブロック図である。
【符号の説明】
１００……液晶パネル
１１２……走査線
１１４……データ線
１１５ａ〜１１５ｆ……ダミーデータ線
１１６……ＴＦＴ
１１８……画素電極
１２０……走査線駆動回路
１３０……サンプリング回路
１４０……シフトレジスタ回路
【図１】
0003663943.tif 000002
【図２】
0003663943.tif 000003
【図３】
0003663943.tif 000004
【図４】
0003663943.tif 000005
【図５】
0003663943.tif 000006
【図６】
0003663943.tif 000007
【図７】
0003663943.tif 000008
【図８】
0003663943.tif 000009
【図９】
0003663943.tif 000010
【図１０】
0003663943.tif 000011